(57)【要約】【課題】  電位治療装置などによる全身治療の効果を損なうことなく、患部を治療することができる患部治療具を提供する。【解決手段】  電位治療装置５によって形成された電界を受けて電流を誘導する半球面状の誘導部２ｂと、誘導された電流を被治療者Ｃの肩Ｃ１に流す円面状の放電部２ａと、刺鍼４とを有する患部治療具１を被治療者Ｃの肩Ｃ１に載せる。すると、誘導部２ｂによって電界から電流が誘導され、この電流が放電部２ａ、粘着テープ３および刺鍼４を介して肩Ｃ１に流れる。そして、この電流が肩Ｃ１を刺激し、肩Ｃ１を治療する。【選択図】  図１
2006288566.tif 000002
【特許請求の範囲】
【請求項１】
電位治療装置や高周波治療装置などの治療装置によって、周囲に電界が形成される人体の患部に載置される患部治療具であって、
前記治療装置によって形成された電界を受けて電流を誘導する誘導部と、前記人体の患部に接触し、前記誘導部によって誘導された電流を前記人体の患部に流す放電部とを有し、前記放電部の面積が前記誘導部の表面積よりも小さく設定されていることを特徴とする患部治療具。
【請求項２】
一体の立体形であって、底面によって前記放電部が構成され、前記電界中に露出される露出面によって前記誘導部が構成されていることを特徴とする請求項１に記載の患部治療具。
【請求項３】
前記放電部に刺鍼が設けられていることを特徴とする請求項１または請求項２のいずれか１項に記載の患部治療具。
【請求項４】
鍼棒と、この鍼棒の底部に配置され前記鍼棒を略垂直に支持する台座とを備え、この台座の少なくとも底面が絶縁材で構成され、この台座の底面と前記鍼棒の底面とが略同一面上に配置され、前記鍼棒の底面によって前記放電部が構成され、前記電界中に露出される前記鍼棒の露出面によって前記誘導部が構成されていることを特徴とする請求項１に記載の患部治療具。
【請求項５】
電位治療装置や高周波治療装置などの治療装置によって、周囲に電界が形成される人体の患部に載置される患部治療具であって、
前記治療装置によって形成された電界を受けて電流を誘導する誘導部と、前記人体の患部に接触し、前記誘導部によって誘導された電流を前記人体の患部に流す放電部とを有し、前記放電部に刺鍼が設けられていることを特徴とする患部治療具。
【発明の詳細な説明】
【技術分野】
【０００１】
本発明は、電位治療や高周波治療など、人体の周囲に電界が形成される治療において、人体のツボ（経穴）などの患部を効果的に治療するための患部治療具に関するものである。
【背景技術】
【０００２】
電位治療装置や高周波（マイクロ波）治療装置などは、治療に際して人体の周囲に電界が形成されるものであり、例えば、電位治療装置は、絶縁された人体に高電圧を与え、人体周囲に形成された電界による生体刺激作用を利用して、治療を行うものである。このような電位治療装置には、全身治療と患部治療とを同時に行えるものも知られている（例えば、特許文献１参照。）。それは、治療装置本体から５，０００Ｖ以上の交流高電圧を局所通電布（電極）に導き、この局所通電布を人体の任意の部位（患部）に装着する。そして、局所通電布が装着された患部は体内誘導電流の密度が大きく、筋肉等の近傍組織の血行と新陳代謝の促進が図られ、患部治療が施される。また、局所通電布の接触により、高電圧が人体に印加されて人体周囲に電界が形成される。そして、この電界によって人体表面の感覚受容器官が刺激され、自律神経系および内分泌系が調整（生体刺激作用）されて全身治療が施される、というものである。
【特許文献１】特開２００３−３２５６７８号公報
【発明の開示】
【発明が解決しようとする課題】
【０００３】
ところで、上記特許文献１に記載されているような電位治療装置では、全身治療と患部治療とを同時に行えるものの、全身治療の効果が低い場合がある。すなわち、上記のような電位治療装置では、治療装置本体から高電圧を導いて局所通電布を人体の患部に装着し、この局所通電布によって人体周囲に電界を形成するため、電界による電気力線が弱く、感覚受容器官への刺激作用、ひいては全身治療の効果が低い。さらに、患部が人体の中心から偏位した位置である場合には、電気力線が偏ってしまいアンバランスになってしまう。また、高周波治療装置などでも、全身治療と患部治療とを良好に行えるものは知られていない。
【０００４】
そこで本発明は、電位治療装置や高周波治療装置などによる全身治療の効果を損なうことなく、患部を治療することができる患部治療具を提供することを目的とする。
【課題を解決するための手段】
【０００５】
上記目的を達成するため請求項１に記載の発明は、電位治療装置や高周波治療装置などの治療装置によって、周囲に電界が形成される人体の患部に載置される患部治療具であって、治療装置によって形成された電界を受けて電流を誘導する誘導部と、人体の患部に接触し、誘導部によって誘導された電流を人体の患部に流す放電部とを有し、放電部の面積が誘導部の表面積よりも小さく設定されていることを特徴としている。
【０００６】
請求項２に記載の発明は、請求項１に記載の患部治療具において、一体の立体形であって、底面によって放電部が構成され、電界中に露出される露出面によって誘導部が構成されていることを特徴としている。
【０００７】
請求項３に記載の発明は、請求項１または請求項２のいずれか１項に記載の患部治療具において、放電部に刺鍼が設けられていることを特徴としている。
【０００８】
請求項４に記載の発明は、請求項１に記載の患部治療具において、鍼棒と、この鍼棒の底部に配置され鍼棒を略垂直に支持する台座とを備え、この台座の少なくとも底面が絶縁材で構成され、この台座の底面と鍼棒の底面とが略同一面上に配置され、鍼棒の底面によって放電部が構成され、電界中に露出される鍼棒の露出面によって誘導部が構成されていることを特徴としている。
【０００９】
請求項５に記載の発明は、電位治療装置や高周波治療装置などの治療装置によって、周囲に電界が形成される人体の患部に載置される患部治療具であって、治療装置によって形成された電界を受けて電流を誘導する誘導部と、人体の患部に接触し、誘導部によって誘導された電流を人体の患部に流す放電部とを有し、放電部に刺鍼が設けられていることを特徴としている。
【発明の効果】
【００１０】
請求項１に記載の発明によれば、電位治療装置などによる全身治療の効果を損なうことなく、患部に載置された患部治療具によって患部治療が良好に行われる。すなわち、患部治療具の誘導部によって電界から電流が誘導（誘起）され、その電流が放電部から人体の患部に流れる。このとき、放電部の面積が誘導部の表面積よりも小さく設定されているため、放電部からの電流、すなわち、人体の患部に流れる電流の密度が高まる。そして、この高い電流密度の電流が患部を刺激し、局部組織の血液循環などを改善し、患部を治療する。一方、患部に患部治療具が載置されても、電位治療装置などによって人体の周囲に形成された電界が大きく影響（変化）されることはないため、全身治療の効果が損なわれないものである。
【００１１】
請求項２に記載の発明によれば、例えば、患部治療具を半球体とし、その底面を放電部、露出面（半球面）を誘導部とすることで、誘導部を大きくし、かつ、放電部を小さくすることができる。これにより、誘導部によって誘導される電流が増し、放電部から患部に流れる電流および電流密度が高くなる。この結果、患部への刺激が増し、患部への治療効果を高めることが可能となる。しかも、底面によって放電部が構成されているため、比較的広い範囲に電流を流すことが可能となり、ツボなどの患部の位置を正確に特定できない場合であっても、患部を含む周辺に対して電流を流すことができ、患部治療を容易に行うことが可能となる。
【００１２】
請求項３に記載の発明によれば、放電部に設けられた刺鍼を人体のツボなどの患部に刺すことで、鍼治療の効果が得られるとともに、刺鍼から患部内に電流が高い電流密度で流れ、患部が効果的に刺激される。この結果、患部への治療効果を高めることが可能となる。
【００１３】
請求項４に記載の発明によれば、ツボなどの患部を効果的に刺激し、患部への治療効果を高めることが可能となる。すなわち、患部治療具の台座を患部の近傍に載せ、鍼棒の放電部（底面）をツボなどの患部に位置させることで、鍼棒の誘導部（露出面）によって誘導された電流が、面積の小さい鍼棒の放電部を介して高い電流密度で患部に流れ、患部が効果的に刺激されるものである。
【００１４】
請求項５に記載の発明によれば、患部治療具の誘導部によって電界から電流が誘導され、その電流が放電部および刺鍼から人体の患部に流れる。このとき、患部と放電部との間の接触インピーダンスよりも、患部とその患部内に刺された刺鍼との間の接触インピーダンスの方が低いため、放電部からよりも大きな電流が高い電流密度で刺鍼から流れる。この結果、刺鍼が刺された部位がより効果的に刺激されて治療効果が高められる。
【発明を実施するための最良の形態】
【００１５】
以下、本発明を図示の実施形態に基づいて説明する。
〈実施形態１〉
図１は、本実施形態に係わる患部治療具１を底面側から見た状態を示す斜視図である。この患部治療具１は、治療具本体２と粘着テープ３と刺鍼４とを備え、肩などの患部に載置できる程度の大きさとなっている。
【００１６】
治療具本体２は半球体で、導電材（アルミニウムなど）で形成されている。そして、後述するように、その底面によって放電部２ａが構成され、半球面（露出面）によって誘導部２ｂが構成されている。また、この治療具本体２の放電部２ａには、粘着テープ３が一面に貼り付けられている。
【００１７】
この粘着テープ３はいわゆる両面テープで導電性を有し、後述するように、治療具本体２を被治療者Ｃの患部に固着させるとともに、治療具本体２の放電部２ａと患部とを電気的に導通させるものである。すなわち、粘着テープ３を介して間接的に、治療具本体２の放電部２ａが被治療者Ｃの患部に接触するようになっている。
【００１８】
刺鍼４は、粘着テープ３の中央部に配置（粘着）され、ステンレス鋼製で、リング状に巻かれた基部４ａと先端が尖った鍼部４ｂとから構成されている。また、この刺鍼４は、鍼治療用として一般に広く使用されている円皮鍼と同様のものでよく、鍼部４ｂは皮膚の表層部（真皮）を刺す程度の長さとなっている。
【００１９】
本実施形態では、電位治療装置５とともに本患部治療具１を使用するものとし、この電位治療装置５は、図２に示すように、治療装置本体６と高電圧発生ユニット７とを備えている。治療装置本体６は、被治療者Ｃが座る椅子６１と頭部電極６２および足部電極６３を備えている。頭部電極６２は絶縁物で覆われた構成で、椅子６１の背もたれ６１ａの上方に取り付けられ、高電圧発生ユニット７のアース端子７１に接続されている。足部電極６３は絶縁物で覆われた平盤状の構造物で、被治療者Ｃが足を載せるものであり、この足部電極６３は高電圧発生ユニット７の高電圧出力端子７２に接続されている。また、高電圧発生ユニット７は、電圧を６，０００〜９，０００Ｖに昇圧する昇圧トランス７３（高圧トランス）と、高電圧を出力するための高電圧出力端子７２および接地されたアース端子７１と、出力電流を制御するための高インピーダンス素子７４を備えている。なお、符号Ｖは商用電源で、本実施形態では、出力される高電圧は交流電圧となっている。
【００２０】
次に、このような構成の患部治療具１と電位治療装置５の作動について説明する。
【００２１】
まず、被治療者Ｃが椅子６１に座り、図３に示すように、患部である肩Ｃ１（経絡上など）に患部治療具１を載せる（載置する）。このとき、最も治療したい部位（ツボなど）に刺鍼４を刺すようにして、粘着テープ３によって治療具本体２を肩Ｃ１に固着させる。次に、高電圧発生ユニット７を稼働させ、足部電極６３側を６，０００〜９，０００Ｖにする。これにより、頭部電極６２との間で電界が生じ、被治療者Ｃが高電位にされるとともに、電界内に配されることになる。
【００２２】
そして、この電界によって被治療者Ｃの肩Ｃ１に電流が流れ、肩Ｃ１が刺激される。すなわち、患部治療具１の誘導部２ｂによって電界から電流が誘導（誘起）され、その電流が放電部２ａ、粘着テープ３を介して肩Ｃ１に流れる。このとき、後述するように、誘導部２ｂの表面積が大きいために誘導部２ｂによって誘導される電流が大きくなり、しかも、放電部２ａ（粘着テープ３）の面積が小さいために放電部２ａからの電流、つまり、肩Ｃ１に流れる電流の密度が高まる。そして、この高い電流密度の電流が肩Ｃ１を刺激するとともに、後述するように、刺鍼４から肩Ｃ１内に大きな電流が流れ、肩Ｃ１を効果的に刺激する。この刺激が局部組織の血液循環などを改善し、肩Ｃ１を治療するものである。
【００２３】
一方、患部治療具１は肩Ｃ１などの患部に載せられる程度の大きさであり、肩Ｃ１に患部治療具１が載せられていても、電位治療装置５によって被治療者Ｃの周囲に形成された電界が大きく影響（変化）されることはない。このため、電位治療装置５による所定の全身治療効果が得られる。すなわち、人体表面に作用する電界によって、人体表面の感覚受容器官が刺激され、被治療者Ｃの自律神経系および内分泌系が徐々に調整されていく。このように、本患部治療具１を肩Ｃ１に載せていても、電位治療装置５による全身治療の効果が損なわれることはない。
【００２４】
以上のように、本患部治療具１によれば、電位治療装置５による全身治療の効果を損なうことなく、電流による局部刺激によって肩Ｃ１を効果的に治療することができる。しかも、刺鍼４による鍼治療の効果が得られるとともに、刺鍼４が刺された部位（ツボなど）の内部に大きな電流が流れる。すなわち、肩Ｃ１の皮膚表面と粘着テープ３との間の接触インピーダンスよりも、肩Ｃ１の皮膚と刺鍼４との間の接触インピーダンスの方が低いため、粘着テープ３からよりも大きな電流が刺鍼４から流れ、刺鍼４が刺された部位がより効果的に刺激されて治療効果が高められる。
【００２５】
また、放電部２ａ（粘着テープ３）の全面を介して肩Ｃ１に電流が流れるため、電流が流れる面が比較的広くなり、ツボなどの患部の位置を正確に特定できない場合であっても、患部を含む周辺に対して電流を流すことができる。この結果、治療に慣れていない者であっても、患部のおおよその位置に本患部治療具１を載せることで治療効果が得られ、患部治療を容易に行うことが可能となる。さらに、刺鍼４が上記のような円皮鍼であり、皮膚の内部に鍼部４ｂが刺されないため痛みが少なく、また、鍼部４ｂが折れることもない。このため、安全に、かつ安心して患部治療を行うことができる。
【００２６】
一方、治療具本体２（本患部治療具１）が半球体で、その底面を放電部２ａとし、半球面を誘導部２ｂとしているため、電流値が大きくかつ高い電流密度の電流が肩Ｃ１に流れる。すなわち、電界Ｅ中において、表面積Ｓの誘導部２ｂによって誘導される電流Ｉは、次のようになる。
【００２７】
Ｉ＝εωＥＳ
ここで、εは誘電率、ωは角速度（＝２πｆ：ｆは交流電圧の周波数）
従って、誘導部２ｂの表面積Ｓが大きいほど誘導される電流値が大きくなり、放電部２ａの面積が小さいほど肩Ｃ１に流れる電流密度が高くなる。
【００２８】
このように、放電部２ａの面積を小さくし、誘導部２ｂの表面積を大きくすること、すなわち、放電部２ａの面積に対する誘導部２ｂの表面積の面積比を大きくすることによって、電流および電流密度を高め、電流治療効果を高めることが可能となる。例えば、本患部治療具１の場合、すなわち治療具本体２が半球体の場合、放電部２ａに対する誘導部２ｂの面積の面積比が３倍と高く、大きな電流が高い電流密度で肩Ｃ１に流れることとなる。また、図４に示すような底円の半径と高さとが同じ円錐形の患部治療具１１の場合、その面積比が（１＋√２）倍となり、底円の半径と高さとが同じ円柱形の場合、その面積比が４倍となる。このように、立体形状を変えることで放電部の面積に対する誘導部の表面積の面積比が変わるため、すなわち誘導される電流の大きさおよび電流密度が変わるため、患部治療具を載置する患部の場所や電位治療装置５による電界の大きさなどに応じて、患部治療具１（治療具本体２）の形状を円板、円柱、三角錐、半球体などにすればよい。
【００２９】
ここで、本発明者らは、いろいろな形状の患部治療具を肩Ｃ１に載せ、電位治療装置５を９，０００Ｖで稼働させて、肩Ｃ１（患部治療具）に流れる電流値を測定した。その結果を図５に示す。なお、すべての患部治療具において、その半径（高さ）は、２ｃｍとした。また、図中「倍率」は、円板形の患部治療具を載せた場合に流れる電流値に対する倍率（比率）を示すものである。この結果から、患部治療具を立体形にすることで電流値が高まり、さらに、計算値による倍率と実測値の倍率とがほぼ一致することが確認された。
【００３０】
ところで、本実施形態では、肩Ｃ１を患部として、肩Ｃ１に本患部治療具１を載せているが、肩Ｃ１に限らず、腰や膝などの患部に本患部治療具１を載せ、上記のようにして、電位治療装置５（高電圧発生ユニット７）を稼動させることで、同様の治療効果が得られる。また、電位治療装置５に限らず、高周波治療装置など治療に際して被治療者Ｃの人体の周囲に電界が形成されるものにおいても、本患部治療具１を使用する（患部に載せる）ことで、同様の治療効果が得られる。
【００３１】
さらに、本実施形態では、治療具本体２の放電部２ａの一面に、導電性の粘着テープ３を貼り付けているが、一部分に導電性の粘着テープを貼り付け、他の部分に絶縁性の粘着テープを貼り付けるようにしてもよい。例えば、刺鍼４が配置される部分のみに導電性の粘着テープを貼り付けることで、その部分および刺鍼４における電流密度を高め、刺激を増すことができる。つまり、導電性の粘着テープの大きさ、位置を変えることで、刺激の大きさ、位置を調整することができる。また、放電部２ａに刺鍼４を直接配置し、その上から放電部２ａの一面に絶縁性の粘着テープを貼り付け、この粘着テープから刺鍼４の鍼部４ｂを突出させるようにしてもよい。これにより、誘導部２ｂによる電流を刺鍼４の鍼部４ｂに集中させて、刺激を高めることができる。さらに、患部の部位や本患部治療具１の大きさなどによっては、粘着テープ３を貼り付けずに、治療具本体２の放電部２ａを被治療者Ｃの患部に直接接触させる（直接載せる）ようにしてもよい。なお、粘着テープ３を貼り付けずに、粘着剤を治療具本体２の放電部２ａに塗布するようにしてもよい。
【００３２】
また、本実施形態では、上記のような円皮鍼を刺鍼４として配置しているが、図６に示すような皮内鍼を刺鍼２２として配置した患部治療具２１としてもよい。すなわち、刺鍼２２の鍼部２２ｂを患部の皮膚内部（真皮、皮下組織）に斜めに刺し、基部２２ａを患部の皮膚と粘着テープ３とで挟むようにして治療具本体２を患部に固着させるものである。そして、誘導部２ｂによって誘導された電流が、この刺鍼２２の鍼部２２ｂを介して患部内部に流れるものである。
【００３３】
さらに、本実施形態では、治療装置本体６が椅子型の電位治療装置５であるが、治療装置本体がベッド型の電位治療装置であってもよく、また、電位治療装置５による電圧は上記の電圧値に限らず、７００〜１，０００Ｖあるいは３０，０００Ｖなどであってもよい。さらにまた、治療具本体を導電性の樹脂で中空に形成（モールド）してもよい。
〈実施形態２〉
図７は、本実施形態に係わる患部治療具３１を示す正面図（一部断面図）である。この患部治療具３１は、鍼棒３２と台座３３と粘着テープ３４とを備え、肩などの患部に載置できる程度の大きさとなっている。
【００３４】
鍼棒３２は細長い円柱状で、導電材で形成されている。そして、その底面によって放電部３２ａが構成され、外周面と上面（露出面）によって誘導部３３ｂが構成されている。この鍼棒３２の底部には、鍼棒３２を略垂直に支持する台座３３が取り付けられている。この台座３３は円盤状で、絶縁材で構成されている。さらに、この台座３３の底面には、絶縁性の粘着テープ３４が貼り付けられている。そして、この粘着テープ３４の底面と鍼棒３２の放電部３２ａ（底面）とが同一面上に位置するように、台座３３と粘着テープ３４とが配置されている。なお、放電部３２ａを粘着テープ３４の底面よりやや突出させることで、放電部３２ａを患部に確実に接触させることができる。
【００３５】
このような構成の本患部治療具３１を電位治療などにおいて使用することで、上記実施形態１と同様な患部治療の効果が得られる。例えば、鍼棒３２の放電部３２ａを肩Ｃ１のツボに位置させ、粘着テープ３４によって本患部治療具３１を肩Ｃ１に固着させる。この状態で、電位治療装置５（高電圧発生ユニット７）を稼動させると、鍼棒３２の誘導部３２ｂによって電流が誘導（誘起）され、その電流が放電部３２ａから肩Ｃ１のツボに流れる。そして、この電流がツボを刺激し、肩Ｃ１を治療するものである。しかも、放電部３２ａの面積は誘導部３２ｂの表面積に比べて小さいため、肩Ｃ１に流れる電流の密度が高まるとともに、放電部３２ａが肩Ｃ１のツボに位置しているため、ツボが効果的に刺激され、治療効果が高まる。
【００３６】
このように、本患部治療具３１によれば、鍼棒３２の放電部３２ａをツボなどに位置させることで、そのツボなどを効果的に刺激し、治療効果を高めることが可能となる。すなわち、刺鍼をツボなどに刺すことなく、刺鍼を刺した場合と同等の刺激をツボなどに与え、同等の治療効果を得ることが可能となる。しかも、ツボなどに刺鍼を刺さないため、痛みや刺鍼が折れる心配などがなく、また、本患部治療具３１を患部に載せる前に患部を消毒する必要がなく、治療経験がない者であっても安全に、かつ安心して手軽に患部治療を行うことができる。
【００３７】
ところで、本実施形態では、台座３３の底面に粘着テープ３４を貼り付け、粘着テープ３４の底面を間接的に台座３３の底面として、粘着テープ３４の底面と鍼棒３２の放電部３２ａとを同一面上に位置させているが、粘着テープ３４を貼り付けずに、台座３３の底面と鍼棒３２の放電部３２ａとを同一面上に位置させてもよい。また、台座３３を導電材で構成し、その底面に粘着テープ３４を貼り付けてもよい。これにより、台座３３によっても電流が誘導され、放電部３２ａからの刺激が高まる。
〈実施形態３〉
図８（ａ）は、本実施形態に係わる患部治療具４１を示す分解斜視図である。この患部治療具４１は、薄い円板状（シート状）の治療具本体４２と、刺鍼４３と粘着テープ４４とを備えている。治療具本体４２はアルミニウム製で、放電部４２ａとこの放電部４２ａの背面に相当する誘導部（図示せず）との面積が同一となっている。刺鍼４３は、実施形態１における刺鍼４と同等の円皮鍼であり、粘着テープ４４は絶縁性の両面テープで、その中央部に刺鍼４３の鍼部４３ａを通す貫通孔４４ａが形成されている。そして、治療具本体４２の放電部４２ａの中央部に刺鍼４３を配置し、その上から放電部４２ａに粘着テープ４４を貼り付け、治療具本体４２と粘着テープ４４とで刺鍼４３を挟むと同時に、鍼部４３ａを貫通孔４４ａから突出（露出）させて患部治療具４１を構成するものである。
【００３８】
このような構成の患部治療具４１を患部に載せ、刺鍼４３の鍼部４３ａを刺して粘着テープ４４で固着させると、治療具本体４２の誘導部によって電界から電流が誘導され、その電流が鍼部４３ａから人体の患部内に集中して流れる。このため、鍼部４３ａが刺された部位が効果的に刺激されて治療効果が高められるものである。
【００３９】
また、図８（ｂ）に示すような患部治療具４５にすることで、鍼部４３ａが刺された部位とその周辺を効果的に治療することができる。この患部治療具４５は導電性の粘着テープ４６を備え、治療具本体４２の放電部４２ａに粘着テープ４６を貼り付け、この粘着テープ４６の上に刺鍼４３を固着（粘着）させたものである。
【００４０】
このような構成の患部治療具４５を患部に載せ、刺鍼４３の鍼部４３ａを刺して粘着テープ４６で固着させると、治療具本体４２の誘導部によって誘導された電流が粘着テープ４６（放電部４２ａ）および鍼部４３ａから人体の患部に流れる。このとき、患部と粘着テープ４６との間の接触インピーダンスよりも、患部とその患部内に刺された鍼部４３ａとの間の接触インピーダンスの方が低いため、粘着テープ４６からよりも大きな電流が高い電流密度で鍼部４３ａから流れる。この結果、鍼部４３ａが刺された部位がより効果的に刺激されて治療効果が高められるとともに、粘着テープ４６からも電流が流れ、鍼部４３ａが刺された部位の周辺も刺激されて治療されるものである。
【産業上の利用可能性】
【００４１】
以上のように、本発明に係わる患部治療具は、電位治療装置などによる全身治療の効果を損なうことなく患部を治療することができ、しかも、治療に慣れていない者であっても安心して治療を行うことができる治療具として極めて有用である。
【図面の簡単な説明】
【００４２】
【図１】実施形態１に係わる患部治療具を底面側から見た斜視図。
【図２】実施形態１に係わる電位治療装置の概略構成図。
【図３】実施形態１に係わる患部治療具を被治療者の肩に載せた状態を示す斜視図。
【図４】実施形態１における第２の患部治療具を底面側から見た斜視図。
【図５】実施形態１において、各形状の患部治療具による誘導電流の実測値などを示す図。
【図６】実施形態１における第３の患部治療具を底面側から見た斜視図。
【図７】実施形態２に係わる患部治療具の正面図（一部断面図）。
【図８】実施形態３に係わる患部治療具の分解斜視図で、（ａ）は絶縁性の粘着テープを備えた患部治療具を示し、（ｂ）は導電性の粘着テープを備えた患部治療具を示す図。
【符号の説明】
【００４３】
１          患部治療具
２          治療具本体
２ａ        放電部（底面）
２ｂ        誘導部（露出面）
３          粘着テープ（導電性）
４          刺鍼
４ａ        基部
４ｂ        鍼部
５          電位治療装置
６          治療装置本体
６１        椅子
６１ａ      背もたれ
６２        頭部電極
６３        足部電極
７          高電圧発生ユニット
７１        アース端子
７２        高電圧出力端子
７３        昇圧トランス
７４        高インピーダンス素子
１１        患部治療具
２１        患部治療具
２２        刺鍼
２２ａ      基部
２２ｂ      鍼部
３１        患部治療具
３２        鍼棒
３２ａ      放電部
３２ｂ      誘導部
３３        台座
３４        粘着テープ（絶縁性）
４１        患部治療具
４２        治療具本体
４２ａ      放電部
４３        刺鍼
４３ａ      鍼部
４４        粘着テープ（絶縁性）
４４ａ      貫通孔
４５        患部治療具
４６        粘着テープ（導電性）
Ｃ          被治療者
Ｃ１        肩（患部）
Ｖ          商用電源
【図１】
2006288566.tif 000003
【図２】
2006288566.tif 000004
【図３】
2006288566.tif 000005
【図４】
2006288566.tif 000006
【図５】
2006288566.tif 000007
【図６】
2006288566.tif 000008
【図７】
2006288566.tif 000009
【図８】
2006288566.tif 000010